(57)【要約】【課題】選択されたフォルダ、オーディオファイル、トラック等の確認をユーザにとって容易に行える車載用電子機器及び通知方法を提供する。【解決手段】車載用電子機器１はシステムコントローラ２と、スピーカ１１と、ＲＯＭ４とを備える。ＲＯＭ４には、０〜９の数字それぞれに固有の音名を対応付けした周波数テーブルが記憶されている。システムコントローラ２は、入力部５からの操作信号に従って記録媒体１２に記録された複数のフォルダの中から１つを選択する選択手段として機能する。システムコントローラ２は、ＲＯＭ３に格納された周波数テーブルを参照することによって、選択されたフォルダの番号について上の桁から順に、桁の数字に対応する音名に従ったオーディオ信号をスピーカ１１に出力する音出力手段として機能する【選択図】図１
2007133992.tif 000002
【特許請求の範囲】
【請求項１】
複数の対象それぞれに固有の番号が対応付けられた状態でそれら対象が記録された記録媒体から１つの対象を選択する選択手段と、
前記選択手段によって選択された対象の番号について上の桁から順に、桁の数字に対応する周波数の音を電気音響変換器に出力させる音出力手段と、を備えることを特徴とする車載用電子機器。
【請求項２】
前記音出力手段が、最上位の桁の数字に対応する周波数の音を、下位の桁の数字に対応する周波数の音よりも長時間出力させることを特徴とする請求項１に記載の車載用電子機器。
【請求項３】
０〜９の数字それぞれに対して固有の周波数を対応付けた周波数テーブルを記憶した記憶部を更に備え、
前記音出力手段が、前記記憶部に記憶された周波数テーブルを参照することによって、前記選択手段によって選択された対象の番号について上の桁から順に、桁の数字に対応する周波数の音を電気音響変換器に出力させることを特徴とする請求項１又は２に記載の車載用電子機器。
【請求項４】
前記記憶部に記憶された周波数テーブルにおいては、０〜９の数字それぞれに対して音名が固有の周波数として対応付けられていることを特徴とする請求項３に記載の車載用電子機器。
【請求項５】
前記記録媒体には対象としてフォルダが記録され、
前記選択手段が、前記記録媒体に記録された複数のフォルダの中から１つのフォルダを選択することを特徴とする請求項１から４の何れか一項に記載の車載用電子機器。
【請求項６】
前記記録媒体には対象としてファイルが記録され、
前記選択手段が、前記記録媒体に記録された複数のファイルの中から１つのファイルを選択することを特徴とする請求項１から４の何れか一項に記載の車載用電子機器。
【請求項７】
前記記録媒体には対象としてオーディオトラックが記録され、
前記選択手段が、前記記録媒体に記録された複数のオーディオトラックの中から１つのオーディオトラックを選択することを特徴とする請求項１から６の何れか一項に記載の車載用電子機器。
【請求項８】
それぞれに固有の番号が対応付けられた複数の記録媒体から１つの記録媒体を選択する選択手段と、
前記選択手段によって選択された記録媒体の番号について上の桁から順に、桁の数字に対応する周波数の音を電気音響変換器に出力させる音出力手段と、を備えることを特徴とする車載用電子機器。
【請求項９】
前記音出力手段が、最上位の桁の数字に対応する周波数の音を、下位の桁の数字に対応する周波数の音よりも長時間出力させることを特徴とする請求項８に記載の車載用電子機器。
【請求項１０】
０〜９の数字それぞれに対して固有の周波数を対応付けた周波数テーブルを記憶した記憶部を更に備え、
前記音出力手段が、前記記憶部に記憶された周波数テーブルを参照することによって、前記選択手段によって選択された記録媒体の番号について上の桁から順に、桁の数字に対応する周波数の音を電気音響変換器に出力させることを特徴とする請求項８又は９に記載の車載用電子機器。
【請求項１１】
前記記憶部に記憶された周波数テーブルにおいては、０〜９の数字それぞれに対して音名が固有の周波数として対応付けられていることを特徴とする請求項１０に記載の車載用電子機器。
【請求項１２】
電気音響変換器及びコントローラを備えた車載用電子機器によって選択されている対象を通知する通知方法であって、
前記コントローラが、複数の対象それぞれに固有の番号が対応付けられた状態でそれら対象が記録された記録媒体から１つの対象を選択する選択ステップと、
前記コントローラが、前記選択ステップによって選択された対象の番号について上の桁から順に、桁の数字に対応する周波数の音を前記電気音響変換器に出力させる音出力ステップと、を含むことを特徴とする通知方法。
【請求項１３】
電気音響変換器及びコントローラを備えた車載用電子機器によって選択されている記録媒体を通知する通知方法であって、
前記コントローラが、それぞれに固有の番号が対応付けられた複数の記録媒体から１つの記録媒体を選択する選択ステップと、
前記コントローラが、前記選択ステップによって選択された記録媒体の番号について上の桁から順に、桁の数字に対応する周波数の音を前記電気音響変換器に出力させる音出力ステップと、を含むことを特徴とする通知方法。
【発明の詳細な説明】
【技術分野】
【０００１】
本発明は、車載用電子機器及び通知方法に関する。
【背景技術】
【０００２】
近年、車載用オーディオプレイヤーは、ＣＤ−ＤＡ型の記録方式の音楽ＣＤに記録された音楽だけなく、ＣＤ−ＲＯＭ型のデータＣＤに記録された音楽ファイル（例えば、ＭＰ３形式の音楽ファイル）も再生できるようになっている。ＣＤ−ＲＯＭ型のデータＣＤでは、音楽ファイルが複数のフォルダによってツリー状に階層化された状態で記録されている。
【０００３】
従来の車載用オーディオプレイヤーでは、再生中の音楽ファイルの名称や番号、再生中の音楽ファイルが入ったフォルダの名称や番号、再生中の音楽のトラック番号が表示装置に表示される。また、選択されたフォルダの番号に応じて表示装置の表示色を変える車載用オーディオプレイヤーもある（特許文献１参照。）。
【特許文献１】特開２００４−２７３００３号公報
【発明の開示】
【発明が解決しようとする課題】
【０００４】
しかしながら、車載用オーディオプレイヤーによって選択されたフォルダ、オーディオファイル、トラックをユーザが確認するためには、ユーザが表示装置を視認しなければならない。特に、ユーザが、所望のフォルダ、オーディオファイル、トラックに変更するために表示装置を見ながらボタン操作を行わなければならない。そのため、運転中、ユーザは、選択されたフォルダ、オーディオファイル、トラックを容易に確認することができなかった。
【０００５】
そこで、本発明は上記課題を解決しようとしてなされたものであり、選択されたフォルダ、オーディオファイル、トラック等の確認をユーザにとって容易に行える車載用電子機器及び通知方法を提供することを目的とする。
【課題を解決するための手段】
【０００６】
以上の課題を解決するために、本発明においては、第１に、車載用電子機器が、複数の対象それぞれに固有の番号が対応付けられた状態でそれら対象が記録された記録媒体から１つの対象を選択する選択手段と、前記選択手段によって選択された対象の番号について上の桁から順に、桁の数字に対応する周波数の音を電気音響変換器に出力させる音出力手段と、を備えるという構成を採っている。
【０００７】
上記第１の発明において、前記音出力手段が、最上位の桁の数字に対応する周波数の音を、下位の桁の数字に対応する周波数の音よりも長時間出力させることが好ましい。
【０００８】
また、前記車載用電子機器が、０〜９の数字それぞれに対して固有の周波数を対応付けた周波数テーブルを記憶した記憶部を更に備え、前記音出力手段が、前記記憶部に記憶された周波数テーブルを参照することによって、前記選択手段によって選択された対象の番号について上の桁から順に、桁の数字に対応する周波数の音を電気音響変換器に出力させることが好ましい。
【０００９】
また、前記記憶部に記憶された周波数テーブルにおいては、０〜９の数字それぞれに対して音名が固有の周波数として対応付けられていることが好ましい。
【００１０】
また、前記記録媒体には対象としてフォルダが記録され、前記選択手段が、前記記録媒体に記録された複数のフォルダの中から１つのフォルダを選択することが好ましい。
【００１１】
また、前記記録媒体には対象としてファイルが記録され、前記選択手段が、前記記録媒体に記録された複数のファイルの中から１つのファイルを選択することが好ましい。
【００１２】
また、前記記録媒体には対象としてオーディオトラックが記録され、前記選択手段が、前記記録媒体に記録された複数のオーディオトラックの中から１つのオーディオトラックを選択することが好ましい。
【００１３】
また、本発明においては、第２に、車載用電子機器が、それぞれに固有の番号が対応付けられた複数の記録媒体から１つの記録媒体を選択する選択手段と、前記選択手段によって選択された記録媒体の番号について上の桁から順に、桁の数字に対応する周波数の音を電気音響変換器に出力させる音出力手段と、を備えるという構成を採っている。
【００１４】
上記第２の発明において、前記音出力手段が、最上位の桁の数字に対応する周波数の音を、下位の桁の数字に対応する周波数の音よりも長時間出力させることが好ましい。
【００１５】
また、前記車載用電子機器が、０〜９の数字それぞれに対して固有の周波数を対応付けた周波数テーブルを記憶した記憶部を更に備え、前記音出力手段が、前記記憶部に記憶された周波数テーブルを参照することによって、前記選択手段によって選択された記録媒体の番号について上の桁から順に、桁の数字に対応する周波数の音を電気音響変換器に出力させることが好ましい。
【００１６】
また、前記記憶部に記憶された周波数テーブルにおいては、０〜９の数字それぞれに対して音名が固有の周波数として対応付けられていることが好ましい。
【００１７】
また、本発明においては、第３に、電気音響変換器及びコントローラを備えた車載用電子機器によって選択されている対象を通知する通知方法は、前記コントローラが、複数の対象それぞれに固有の番号が対応付けられた状態でそれら対象が記録された記録媒体から１つの対象を選択する選択ステップと、前記コントローラが、前記選択ステップによって選択された対象の番号について上の桁から順に、桁の数字に対応する周波数の音を前記電気音響変換器に出力させる音出力ステップと、を含むという構成を採っている。
【００１８】
また、本発明においては、第４に、電気音響変換器及びコントローラを備えた車載用電子機器によって選択されている記録媒体を通知する通知方法は、前記コントローラが、それぞれに固有の番号が対応付けられた複数の記録媒体から１つの記録媒体を選択する選択ステップと、前記コントローラが、前記選択ステップによって選択された記録媒体の番号について上の桁から順に、桁の数字に対応する周波数の音を前記電気音響変換器に出力させる音出力ステップと、を含むという構成を採っている。
【発明の効果】
【００１９】
本発明によれば、選択された対象（フォルダ、ファイルやトラック）又は選択された記録媒体に対応する番号について上の桁から順に、数字に対応する周波数の音が電気音響変換器から出力されるので、ユーザは選択された対象や記録媒体の番号を聴覚的に認識することができる。そのため、ユーザは、運転中でも表示装置を見ずに、選択された対象や記録媒体を安全に確認することができる。
【発明を実施するための最良の形態】
【００２０】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００２１】
図１は、本発明に係る車載用電子機器１のブロック図であり、図２は、車載用電子機器１の正面図である。この車載用電子機器１は、オーディオプレイヤーである。
【００２２】
車載用電子機器１は、システムコントローラ２と、ＲＡＭ３と、ＲＯＭ４と、入力部５と、表示部６と、読取部７と、コーデック８と、切替スイッチ９と、アンプ１０と、スピーカ１１とを備える。
【００２３】
読取部７は、記録媒体１２に記録された情報を読み取る。記録媒体１２は、コンパクトディスク、ハードディスク又は半導体記録媒体であり、読取部７にとって読取可能な記録媒体である。記録媒体１２には、ＭＰ３形式のオーディオファイルが記録されている。また、図３に示すように、記録媒体１２には、複数のフォルダがツリー状に階層化された状態で各フォルダにオーディオファイルが記録されている。各フォルダに固有の番号及び名称が対応付けられている。それぞれのフォルダではオーディオファイルに固有の番号及び名称がオーディオファイルに対応付けられている。
【００２４】
コーデック８は、読取部７によって読み取られたオーディオファイルを伸長してアナログ化し、オーディオ信号を切替スイッチ９に出力する。切替スイッチ９は、コーデック８から入力されたオーディオ信号と、システムコントローラ２から入力されたオーディオ信号を選択的にアンプ１０に出力する。アンプ１０は、コーデック８から切替スイッチ９を介して入力したオーディオ信号や、システムコントローラ２から切替スイッチ９を介して入力したオーディオ信号を増幅してスピーカ１１に出力する。スピーカ１１は、アンプ１０から入力したオーディオ信号を音に変換する電気音響変換器であり、アンプ１０から入力したオーディオ信号に従って音を出力する。
【００２５】
入力部５は、各種の入力キー、入力ダイヤルを有し、これら入力キーや入力ダイヤルの操作に対応する操作信号をシステムコントローラ２に出力する。入力部５は、図２に示すように、アップキー５１及びダウンキー５２を入力キーとして有する。アップキー５１及びダウンキー５２は、選択するフォルダを変更するために用いられる。アップキー５１が押下されるとフォルダの番号がカウントアップされ、その番号のフォルダが選択される。一方、ダウンキーが押下されるとフォルダの番号がカウントダウンされ、その番号のフォルダが選択される。
【００２６】
また、入力部５は、アップダウンダイヤル５３を入力ダイヤルとして有する。このアップダウンダイヤル５３は、選択するフォルダを変更するために用いられる。アップダウンダイヤル５３が反時計回りに回転されるとフォルダの番号がカウントアップされ、アップダウンダイヤル５３が時計回りに回転されるとフォルダの番号がカウントダウンされる。
【００２７】
また、入力部５は、再生キー５４及びポーズキー５５を入力キーとして有する。再生キー５４は、選択されたフォルダ内のオーディオファイルを再生開始するために用いられる。ポーズキー５５は、オーディオファイルの再生を一時的に止めるために用いられる。
【００２８】
表示部６は、液晶ディスプレイ又はエレクトロルミネッセンスディスプレイいった表示装置であり、システムコントローラ２から入力される表示制御信号に従って表示を行う。例えば、表示部６には、選択されたフォルダの番号と名称が表示されたり、再生中のオーディオファイルの番号と名称が表示されたりする。
【００２９】
ＲＯＭ４には、システムコントローラ２にとって読取可能・実行可能なプログラムが格納されているとともに、図４に示すような周波数テーブルが格納されている。周波数テーブルは十進法における一桁の数字と音の周波数との対応関係を表すものであり、『０』〜『９』の数字それぞれに対して固有の周波数が対応付けられている。周波数テーブルにおいては、音の周波数として音名が用いられ、『１』には『ド』が、『２』には『レ』、『３』には『ミ』、『４』には『ファ』、『５』には『ソ』、『６』には『ラ』、『７』には『シ』、『８』には『ド（但し、『１』の『ド』よりも１オクターブ高い。）』、『９』には『レ（但し、『２』の『レ』よりも１オクターブ高い。）』、『０』には『ミ（但し、『３』の『ミ』よりも１オクターブ高い。）』が対応付けられている。
【００３０】
システムコントローラ２は、ＣＰＵ等を有し、ＲＯＭ４に格納されたプログラムに従って車載用電子機器１の統括的な制御を行う。また、システムコントローラ２は、入力部５からの操作信号に従って記録媒体１２に記録された複数のフォルダの中から１つを選択する選択手段として機能する。また、システムコントローラ２は、ＲＯＭ３に格納された周波数テーブルを参照することによって、選択されたフォルダの番号について上の桁から順に、桁の数字に対応する音名に従ったオーディオ信号を切替スイッチ９及びアンプ１０を介してスピーカ１１に出力する音出力手段として機能する。
【００３１】
ＲＡＭ３は、システムコントローラ２にワークエリアを提供し、システムコントローラ２によるプログラムの実行時に生じる処理結果等のデータをワークエリアに一時的に記憶する。例えば、ＲＡＭ３には、選択されたフォルダの番号が一時的に記憶され、更には、再生中のファイルの番号が一時的に記憶される。
【００３２】
次に、車載用電子機器１によって選択されるフォルダを通知する方法について図４のフローチャートを用いて説明する。ここで、図４は、車載用電子機器１の動作中においてシステムコントローラ２が行う処理の流れを示したフローチャートである。
ユーザが入力部５を操作することで、入力部５からシステムコントローラ２に操作信号が入力されたら、システムコントローラ２が計時を開始するとともに、カウンタＮをデフォルトにしてＲＡＭ３に一時記憶する（ステップＳ１）。ここで、カウンタＮのデフォルトは現在選択されているフォルダの番号であるが、フォルダが選択されていない場合には例えば１とする。そして、システムコントローラ２は、計時を開始してから所定時間（例えば、５００ミリ秒）だけ経過するまでの間に（ステップＳ４：Ｙｅｓ）、アップキー５１から操作信号が入力されたか否か（又はアップダウンダイヤル５３が反時計回りに回転されたか否か）を判定する（ステップＳ２）とともに、ダウンキー５２から操作信号が入力されたか否か（又はアップダウンダイヤル５３が時計回りに回転されたか否か）を判定する（ステップＳ３）。
【００３３】
ここで、ユーザがアップキー５１を押下するかアップダウンダイヤル５３を反時計回りに回転させると（ステップＳ２：Ｙｅｓ）、システムコントローラ２はカウンタＮに１を加算するとともに計時を開始し直し（ステップＳ５）、システムコントローラ２の処理がステップＳ４に移行する。一方、ユーザがダウンキー５２を押下するかアップダウンダイヤル５３を時計回りに回転させると（ステップＳ３：Ｙｅｓ）、システムコントローラ２はカウンタＮに１を減算するとともに計時を開始し直し（ステップＳ６）、システムコントローラ２の処理がステップＳ４に移行する。
【００３４】
ステップＳ４においては、システムコントローラ２は計時開始してから所定時間経過したか否かを判定し、所定時間経過していない場合には（ステップＳ４：Ｎｏ）、システムコントローラ２の処理がステップＳ２に戻り、所定時間経過した場合には（ステップＳ４：Ｙｅｓ）、システムコントローラ２の処理がステップＳ７に移行する。
【００３５】
ユーザがアップキー５１、ダウンキー５２、アップダウンダイヤル５３を操作してから所定時間経過するまでの間に、続けてアップキー５１、ダウンキー５２、アップダウンダイヤル５３を操作すれば（ステップＳ２：Ｙｅｓ、ステップＳ３：Ｎｏ）、システムコントローラ２によってカウンタＮが増減される（ステップＳ５、ステップＳ６）。一方、ユーザが最後にアップキー５１、ダウンキー５２、アップダウンダイヤル５３を操作してから所定時間経過するまでの間に、アップキー５１、ダウンキー５２、アップダウンダイヤル５３を操作しないと、カウンタＮの増減が終了し（ステップＳ４：Ｙｅｓ）、システムコントローラ２はカウンタＮとなる番号のフォルダを選択する（ステップＳ７）。
【００３６】
以上のように、システムコントローラ２は、ステップＳ１〜ステップＳ７の処理を行うことによって、入力部５からの操作信号に従ってフォルダの番号を選択する。
【００３７】
フォルダの番号が選択された後、システムコントローラ２が計時を開始する（ステップＳ８）。そして、ステップＳ８の計時の開始から所定時間だけ経過すると（ステップＳ９：Ｙｅｓ）、システムコントローラ２の処理がステップＳ１０に移行する。なお、ステップＳ８の計時の開始から所定時間経過するまでの間に、ユーザがアップキー５１、ダウンキー５２、アップダウンダイヤル５３を操作すると、システムコントローラ２がその計時を停止し、図５に示すシステムコントローラ２の処理が一旦終了し、再びシステムコントローラ２の処理がステップＳ１に戻る。
【００３８】
ステップＳ１０では、システムコントローラ２は、フォルダの番号の選択後、選択された番号の上の桁の数字から順に周波数テーブルを参照していき、上の桁の数字から順に対応する音名に従ったオーディオ信号を切替スイッチ９を介してアンプ１０に出力していき、これにより上の桁の数字から順に、対応する音名がスピーカ１１から出力される。特に、最上位の桁の数字に対応する音名が下位の桁の数字に対する音名よりも長時間出力されるように、システムコントローラ２が上の桁の数字から順に、対応する音名に従ったオーディオ信号を切替スイッチ９を介してアンプ１０に出力していく。なお、ステップＳ１〜ステップＳ７の処理により選択されたフォルダの番号の最上位の桁から『０』が続く場合（例えば、『００１』、『０１０１』等）、システムコントローラ２は、『０』でない桁から順に、対応する音名に従ったオーディオ信号を切替スイッチ９を介してアンプ１０に出力していく。このように番号を表した音がスピーカ１１から出力されることで、選択されたフォルダを聴覚的にユーザに通知することができる。
【００３９】
例えば、ステップＳ１〜ステップＳ７の処理により選択されたフォルダの番号が『１２３４』の場合、『ド』がスピーカ１１から１８０ミリ秒間出力され、続けて『レ』、『ミ』、『ファ』がこの順にそれぞれ６０ミリ秒間出力される。また、ステップＳ１〜ステップＳ７の処理により選択されたフォルダの番号が『０１０１』の場合、『ド』がスピーカ１１から１８０ミリ秒間出力され、続けて『ミ（１オクターブ上の音名）』、『ド』がこの順にそれぞれ６０ミリ秒間出力される。
【００４０】
ステップＳ１０においては、システムコントローラ２は、音声出力と並行して表示制御信号を表示部６に出力することにより、選択されたフォルダの番号と名称を表示部６に表示させる。
【００４１】
そして、選択されたフォルダ内にあるオーディオファイルが読取部７によって読み取られ、読み取られたオーディオファイルがコーデック８によって伸長され、コーデック８からオーディオ信号が切替スイッチ９、アンプ１０を介してスピーカ１１に出力される。これにより、オーディオファイルが再生される。なお、選択されたフォルダにオーディオファイルが存在しない場合には、オーディオファイルの再生は行われない。また、選択されたフォルダに複数のオーディオファイルが存在する場合には、再生順番がランダムとなるモードでも良いし、選択された１つのオーディオファイルを繰り返し再生するモードでも良いし、複数のオーディオファイルを決まった順に繰り返し再生するモードでも良い。
【００４２】
以上のように、本実施形態によれば、ユーザが入力部５を操作することによってシステムコントローラ２によりフォルダが選択されると、選択されたフォルダの番号について上の桁から順に、数字を表した音名がスピーカ１１から出力されるので、ユーザは選択されたフォルダを聴覚的に認識することができる。そのため、ユーザは、運転中でも表示部６を見ずに、選択されたフォルダを安全に確認することができる。
【００４３】
また、最上位の桁の音名が下位の桁の音名よりも長時間出力されるので、ユーザは、単にビープ音が短時間に連続して出力されたことと、選択されたフォルダの番号が音により出力されたことを区別することができる。
【００４４】
〔変形例１〕
ユーザが入力部５を操作することによって、選択されたフォルダの中の複数のオーディオファイルのうち１つのオーディオファイルがシステムコントローラ２によって選択されても良い。即ち、上記ステップＳ１〜ステップＳ６のシステムコントローラ２の処理中には、ユーザが入力部５のアップキー５１、ダウンキー５２、アップダウンダイヤル５３を操作することによってカウンタＮが増減し、ユーザが最後に入力部５のアップキー５１、ダウンキー５２、アップダウンダイヤル５３を操作してから所定時間経過すると（ステップＳ４：Ｙｅｓ）、システムコントローラ２がカウンタＮとなる番号のオーディオファイルを選択する（ステップＳ７に相当）。そして、ステップＳ１０では、システムコントローラ２は、選択されたオーディオファイルの番号の上の桁の数字から順に周波数テーブルを参照していき、上の桁の数字から順に対応する音名に従ったオーディオ信号を切替スイッチ９を介してアンプ１０に出力していき、これにより上の桁の数字から順に、対応する音名がスピーカ１１から出力される。この場合も、フォルダを選択した場合と同様に、システムコントローラ２は、最上位の桁の数字に対応する音名を下位の桁の数字に対する音名よりも長時間出力させる。オーディオファイルが選択されたら、その選択されたオーディオファイルが読取部７によって読み取られ、読み取られたオーディオファイルがコーデック８によって伸長され、コーデック８からオーディオ信号が切替スイッチ９、アンプ１０を介してスピーカ１１に出力される。このように番号を表した音がスピーカ１１から出力されることで、選択されたオーディオファイルを聴覚的にユーザに通知することができる。
なお、或るオーディオファイルの再生中にユーザがポーズキー５５を押下すると、そのオーディオファイルの再生が一時停止される。このときには、システムコントローラ２は一時停止したオーディオファイルを選択し、選択されたオーディオファイルの番号の上の桁の数字から順に周波数テーブルを参照していき、上の桁の数字から順に対応する音名に従ったオーディオ信号を切替スイッチ９を介してアンプ１０に出力していき、これにより上の桁の数字から順に、対応する音名がスピーカ１１から出力される。
【００４５】
〔変形例２〕
記録媒体１２が、複数のオーディオトラックを記録したＣＤ−ＤＡ型の記録媒体（所謂音楽ＣＤ）であっても良い。この場合、上記ステップＳ１〜ステップＳ６のシステムコントローラ２の処理中には、ユーザが入力部５のアップキー５１、ダウンキー５２、アップダウンダイヤル５３を操作することによってカウンタＮが増減し、ユーザが最後に入力部５のアップキー５１、ダウンキー５２、アップダウンダイヤル５３を操作してから所定時間経過すると（ステップＳ４：Ｙｅｓ）、システムコントローラ２がカウンタＮとなる番号のオーディオトラックを選択する（ステップＳ７に相当）。そして、ステップＳ１０では、システムコントローラ２は、選択されたオーディオトラックの番号の上の桁の数字から順に周波数テーブルを参照していき、上の桁の数字から順に対応する音名に従ったオーディオ信号を切替スイッチ９を介してアンプ１０に出力していき、これにより上の桁の数字から順に、対応する音名がスピーカ１１から出力される。この場合も、フォルダを選択した場合と同様に、システムコントローラ２は、最上位の桁の数字に対応する音名を下位の桁の数字に対する音名よりも長時間出力させる。オーディオトラックが選択されたら、その選択されたオーディオトラックが読取部７によって読み取られ、読み取られたオーディオトラックがコーデック８によってアナログ化され、コーデック８からオーディオ信号が切替スイッチ９、アンプ１０を介してスピーカ１１に出力される。このように番号を表した音がスピーカ１１から出力されることで、選択されたオーディオトラックを聴覚的にユーザに通知することができる。
なお、或るオーディオトラックの再生中にユーザがポーズキー５５を押下すると、そのオーディオトラックの再生が一時停止される。このときには、システムコントローラ２は一時停止したオーディオトラックを選択し、選択されたオーディオトラックの番号の上の桁の数字から順に周波数テーブルを参照していき、上の桁の数字から順に対応する音名に従ったオーディオ信号を切替スイッチ９を介してアンプ１０に出力していき、これにより上の桁の数字から順に、対応する音名がスピーカ１１から出力される。
【００４６】
〔変形例３〕
読取部７がチェンジャー型であっても良い。即ち、読取部７には複数の記録媒体を収納可能であり、これら記録媒体には収納個所によって固有の番号が対応付けられる。この場合、上記ステップＳ１〜ステップＳ６のシステムコントローラ２の処理中には、ユーザが入力部５のアップキー５１、ダウンキー５２、アップダウンダイヤル５３を操作することによってカウンタＮが増減し、ユーザが最後に入力部５のアップキー５１、ダウンキー５２、アップダウンダイヤル５３を操作してから所定時間経過すると（ステップＳ４：Ｙｅｓ）、システムコントローラ２がカウンタＮとなる番号の記録媒体を選択する（ステップＳ７に相当）。そして、ステップＳ１０では、システムコントローラ２は、選択された記録媒体の番号の上の桁の数字から順に周波数テーブルを参照していき、上の桁の数字から順に対応する音名に従ったオーディオ信号を切替スイッチ９を介してアンプ１０に出力していき、これにより上の桁の数字から順に、対応する音名がスピーカ１１から出力される。この場合も、フォルダを選択した場合と同様に、システムコントローラ２は、最上位の桁の数字に対応する音名を下位の桁の数字に対する音名よりも長時間出力させる。記録媒体が選択されたら、その選択された記録媒体が読取部７によって読み取られる。このように番号を表した音がスピーカ１１から出力されることで、選択された記録媒体を聴覚的にユーザに通知することができる。
【００４７】
なお、本発明は、上記実施の形態、上記変形例に限定されることなく、本発明の趣旨を逸脱しない範囲において、種々の改良並びに設計の変更を行っても良い。
ユーザがモートコントローラのテンキーを押下することによって、番号がリモートコントローラからシステムコントローラ２に送信され、システムコントローラ２が受信した番号のフォルダ、ファイル、オーディオトラック、記録媒体を選択するようにしても良い。
【図面の簡単な説明】
【００４８】
【図１】車載用電子機器のブロック図である。
【図２】車載用電子機器の正面図である。
【図３】記録媒体のフォルダ階層構造の一例を示した図である。
【図４】記憶部であるＲＯＭに格納された周波数テーブルを示した図である。
【図５】システムコントローラの処理の流れを示したフローチャートである。
【符号の説明】
【００４９】
１  車載用電子機器
２  システムコントローラ
３  ＲＯＭ
５  入力部
１１  スピーカ
１２  記録媒体
【図１】
2007133992.tif 000003
【図２】
2007133992.tif 000004
【図３】
2007133992.tif 000005
【図４】
2007133992.tif 000006
【図５】
2007133992.tif 000007